(57)【特許請求の範囲】
【請求項１】
長手軸線を有し、複数のシガレットパックからなるパックグループと、
前記パックグループを包み込むシート状の包材と
を備え、
前記包材は、前記パックグループの前記長手軸線に沿って延び、前記長手軸線の方向に間隔を存して配置された切れ目及び切れ目間に介在する中間部位からなる穿孔列を含み、
前記穿孔列は前記長手軸線に沿って並ぶ３つ以上の領域に区分され、
１個ずつの切れ目及び中間部位における前記長手軸線に沿う長さの合計が穿孔ピッチ、前記穿孔ピッチに対する前記中間部位の比が接続比として表されるとき、前記各領域は同一の穿孔ピッチを有し、且つ、前記穿孔列の中央の領域は他の領域よりも前記接続比が小さい脆弱域に形成されていること特徴とするシガレットパーセル。
【請求項２】
前記他の領域は、前記脆弱域の両側に複数ずつ設けられ、これら他の領域は前記脆弱域から順次大きくなる接続比を有することを特徴とする請求項１に記載のシガレットパーセル。
【請求項３】
前記包材は前記脆弱域を示すマークを更に含み、このマークは前記脆弱域を囲んでいることを特徴とする請求項１又は２に記載のシガレットパーセル。
【請求項４】
前記シガレットパックは上包みされておらず、前記包材と直接に接触する外面を有することを特徴とする請求項１〜３の何れかに記載のシガレットパーセル。
【請求項５】
長手軸線を有し、複数のシガレットパックからなるパックグループを包み込むためのシート状の包材において、
前記パックグループの前記長手軸線に沿って延び、前記長手軸線に間隔を存して配置された切れ目及び切れ目間に介在する中間部位からなる穿孔列を含み、
前記穿孔列は前記長手軸線に沿って並ぶ３つ以上の領域に区分され、
１個ずつの切れ目及び中間部位における前記長手軸線に沿う長さの合計が穿孔ピッチ、前記穿孔ピッチに対する前記中間部位の比が接続比として表されるとき、前記各領域は同一の穿孔ピッチを有し、且つ、前記穿孔列の中央の領域は他の領域よりも前記接続比が小さい脆弱域に形成されていることを特徴とする包材。
【請求項６】
前記他の領域は、前記脆弱域の両側に複数ずつ設けられ、これら他の領域は前記脆弱域から順次大きくなる接続比を有することを特徴とする請求項５に記載の包材。
【請求項７】
前記包材は前記脆弱域を示すマークを更に含み、このマークは前記脆弱域を囲んでいることを特徴とする請求項５又は６に記載の包材。
【発明の詳細な説明】
【技術分野】
【０００１】
本発明は、シガレットやフィルタシガレットのシガレットパックのグループを含むシガレットパーセル及び前記グループを包み込むためのシート状の包材に関する。
【背景技術】
【０００２】
この種のシガレットパーセルは例えば特開平10-230552号公報に開示されている。この公知のシガレットパーセルは複数のシガレットパックからなるパックグループと、このパックグループを包み込むシート状の包材とを備え、パックグループは２段のパック列を含み、各パック列は５個のシガレットパックを有する。【０００３】
更に、前記公報のシガレットパーセルは包材に形成された穿孔列を含み、この穿孔列は、シガレットパーセルを開封してシガレットパックを取り出す際、包材を破断するために使用される。【０００４】
上述した穿孔列は多数の切れ目を有し、これら切れ目は穿孔列の長手方向に一定の間隔を存して配置され、そして、隣接する切れ目間に介在する中間部位の長さは穿孔列の破断強度を決定する。穿孔列は、パックグループが包材により包み込まれるとき、包材に加わる外力に対して十分に耐え得るだけの破断強度を有している必要があり、このため、穿孔列の強度は比較的強い。それ故、シガレットパーセルが開封される際、ユーザは穿孔列の中間部位に爪を押し込んで中間部位を破り、この後、穿孔列に沿い爪を移動させながら包材を破断する必要がある。【０００５】
しかしながら、上述した爪の押込みはパーセル内の個々のシガレットパックを損傷する虞がある。特に、シガレットパックが透明なフィルムで上包みされていない場合には、シガレットパックの外面と爪とが直接に接触し、シガレットパックの外面に傷が発生し易い。【０００６】
本発明の目的は、パックグループがシート状の包材で包み込まれるとき、包材の破断に起因した不具合を被ることがなく、この後、開封時には包材を容易に破断することができるシガレットパーセル及び包材を提供することにある。
【発明の開示】
【課題を解決するための手段】
【０００７】
上記の目的を達成するため、本発明のシガレットパーセルは、長手軸線を有し、この長手軸線に沿って並ぶ複数のシガレットパックからなるパックグループと、このパックグループを包み込むシート状の包材とを備えている。
【０００８】
本発明のシガレットパーセルの包材は、パックグループの長手軸線に沿って延び、長手軸線の方向に間隔を存して配置された切れ目及び切れ目間に介在する中間部位からなる穿孔列を含み、この穿孔列は長手軸線に沿って並ぶ３つ以上の領域に区分され、そして、１個ずつの切れ目及び中間部位における長手軸線に沿う長さの合計が穿孔ピッチ、前記穿孔ピッチに対する中間部位の比が接続比として表されるとき、各領域は同一の穿孔ピッチを有し、且つ、穿孔列の中央の領域は他の領域よりも接続比が小さい脆弱域に形成されている（請求項１）。
【０００９】
上述したシガレットパーセルが開封される際、包材は穿孔列の脆弱域から先ず破断され、この破断は穿孔列の残りの領域に伝播し、これにより、包材は穿孔列に沿って破断される。この結果、シガレットパーセルから個々のシガレットパックの取り出しが容易になる。【００１０】
包材はその穿孔列の中央の領域のみに脆弱域を有しているだけであるから、パックグループが包材により包み込まれるとき、包材が穿孔列に沿って破断されることはない。
【００１１】
具体的には、穿孔列の他の領域は、脆弱域の両側に複数ずつ設けられ、これら他の領域は脆弱域から順次大きくなる接続比を有する（請求項２）。
【００１２】
更に好ましくは、包材は脆弱域を示すマークを更に含むことができ、このマークは脆弱域を囲んでいる（請求項３）。シガレットパーセルが開封される際、マークはユーザが穿孔列を最初に破断すべき脆弱域をユーザに確実に認識させる。
【００１３】
シガレットパーセル内のシガレットパックは上包みされておらず、包材と直接に接触する外面を有するものであってもよい（請求項４）。
また、本発明は上述した穿孔列を有するシート状の包材を提供する（請求項５−７）。
【図面の簡単な説明】
【００１４】
【図１】本発明の一実施例のシガレットパーセルを示した斜視図である。
【図２】図１のシート状の包材を示した展開図である。
【図３】図２の穿孔列の一部を拡大して示す図である。
【図４】図１のシガレットパーセルの断面図である。
【図５】参考例の穿孔列の一部を示した図である。
【発明を実施するための最良の形態】
【００１５】
図１は、本発明の一実施例のシガレットパーセルを示す。
このシガレットパーセルはシガレットパックＣＰのグループ１０と、このグループ１０を包み込むシート状の包材１２とを備える。グループ１０は、図１でみて上下２段のパック列を含み、各パック列は５個のシガレットパックＣＰを有する。【００１６】
包材１２は例えば紙からなり、図２は包材１２の展開図を示す。包材１２の中央部１４はパックグループ１０の回りにＵ字状に巻き付けられ、この後、包材１２の両側縁部はパックグループ１０の裏面上にて互いに重ね合わされ、そして、接着剤により結合される。従って、包材１２はパックグループ１０の回りを囲むチューブ状に形成される。チューブ状の包材１２はパックグループ１０の両端からそれぞれ突出するラグを有し、これらラグは包材１２の両端部１６により形成される。
【００１７】
この後、ラグはパックグループ１０の対応する端面に向けて折り込まれ、端面を覆う閉塞面を形成する。この閉塞面は両端に位置したエンドフラップと、これらエンドフラップに順次重ね合わされたサイドフラップとを有し、これらサイドフラップは接着剤により互いに結合される。この結果、パックグループ１０は包材１２により完全に包み込まれ、シガレットパーセルが形成される。【００１８】
図２中の細い破線は上述した包材１２の折込みにより形成される折り目を示す。また、包材１２はその両端部１６に一対ずつのスリット１８を有しており、これらスリット１８は、前述したサイドフラップのうちの上側に位置するサイドフラップ２０を形成する（図１参照）。【００１９】
更に、包材１２は穿孔列２２を有し、この穿孔列２２はパックグループ１０の小さい一対の側面のうちの一方に位置付けられている。より詳しくは、穿孔列２２はパック列の間に位置付けられ、パックグループ１０の長手方向、即ち、パック列におけるシガレットパックＣＰの並び方向に延びている。図１中、穿孔列２２はシガレットパックＣＰの外郭を示す破線よりも太い破線で示されている。
【００２０】
図２から明らかなように、穿孔列２２はその中央に位置したセンタ域Ｃと、このセンタ域Ｃの両側にそれぞれ配置されたサイド域Ｓ１，Ｓ２とを含み、これらサイド域Ｓ１，Ｓ２は、センタ域Ｃを中心に対称に位置付けられている。図３に示されるように穿孔列２２は多数の切れ目２６を有し、これら切れ目２６は穿孔列２２の長手方向に間隔を存して配置されている。切れ目２６間に介在する中間部位は図３中、参照符号２４で示されている。
【００２１】
穿孔列の長手方向に沿った中間部位２４及び切れ目２６の長さがＬ、Ｓで示されるとき、互いに隣接する中間部位２４と切れ目２６の長さの合計（Ｌ＋Ｓ）は、穿孔ピッチＰを表す。【００２２】
穿孔ピッチＰに対する中間部位２４の長さＬの比率、即ち、接続比Ｒ（Ｌ／Ｐ）は前述した穿孔列２２の各域にて異なり、本実施例では以下のように設定されている。
センタ域Ｃ：
ＲＣ＝０．１、穿孔ピッチＰ＝６ｍｍ，Ｌ＝０．６ｍｍ、ピッチ数（中間部位２４の個数）Ｎ＝５
サイド域Ｓ１：
Ｒ１＝０．１１７、穿孔ピッチＰ＝６ｍｍ，Ｌ＝０．７ｍｍ、ピッチ数Ｎ＝６
サイド側域Ｓ２：
Ｒ２＝０．２５、穿孔ピッチＰ＝６ｍｍ，Ｌ＝１．５ｍｍ、ピッチ数Ｎ＝１２【００２３】
従って、センタ域Ｃ、サイド域Ｓ１，Ｓ２の接続比ＲＣ，Ｒ１，Ｒ２の大小関係は、以下の通りとなる。
ＲＣ＜Ｒ１＜Ｒ２【００２４】
センタ域Ｃの接続比ＲＣはサイド域Ｓ１，Ｓ２の接続比Ｒ１，Ｒ２よりも小さく、センタ域Ｃは穿孔列２２の脆弱域を形成する。それ故、シガレットパーセルが開封される際、穿孔列２２のセンタ域Ｃを挟む包材１２の部位が互いに逆向きに引っ張られるだけで、センタ域Ｃの各中間部位２４は容易に破断される。そして、センタ域Ｃでの破断はサイドＳ１，Ｓ２の中間部位２４に順次伝播することから、包材１２は穿孔列２２に沿って完全に破断され、この結果、シガレットパーセルから個々のシガレットパックＣＰを容易に取出すことができる。
【００２５】
一方、穿孔列２２は、脆弱域としてのセンタ域Ｃをその中央部分のみに有するだけであるので、包材１２によりパックグループ１０が包み込まれるとき、包材１２がその穿孔列２２に沿って破断することはない。【００２６】
センタ域Ｃ及びサイド域Ｓ１，Ｓ２における中間部位２４の長さは僅かである。それ故、各域における中間部位２４の大きさの差異を視認することは容易ではない。しかしながら、本実施例の場合、図１及び図２に示されるように包材１２はセンタ域Ｃを囲むようなマークＭを予め有しており、このマークＭを目印とし、穿孔列２２の両側の包材１２の部位が互いに逆向きに引っ張られれば、センタ域Ｃの中間部位２４は確実に破断される。【００２７】
図４は、シガレットパーセル内のシガレットパックＣＰをより具体的に示す。このシガレットパックＣＰは透明なフィルムで上包みされたヒンジリッドパックやソフトパックであってもよい。しかながら、シガレットパーセル内のシガレットパックＣＰは、上述した透明なフィルムで上包みされていないタングリッドパックであるのが好ましい。【００２８】
この種のタングリッドパックの場合、シガレット束は気密性が高いインナラッパで包み込まれており、フィルム包装を必要としない。【００２９】
シガレットパーセル内のシガレットパックＣＢが上述したタングリッドパックであっても、シガレットパーセルの包材１２はユーザが穿孔列２２に対して爪で押し込むことなく容易に破断されることから、タングリッドパックの外面がユーザの爪で傷付くようなこともない。【００３０】
本発明は上述の実施例に制約されるものではなく、種々の変形が可能である。
なお、実施例ではないが、参考例の穿孔例２２はそのセンタ域が図５に示されるセンタ域Ｃ’に置き換えられている。この場合、センタ域Ｃ’の構造は以下の通りである。
センタ域Ｃ’：
接続比ＲＣ’＝０．０７７８、穿孔ピッチＰ＝９ｍｍ，Ｌ＝０．７ｍｍ、ピッチ数Ｎ＝３
【００３１】
センタ域Ｃ’の接続比ＲＣ’もまた、サイドＳ１，Ｓ２の接続比Ｒ１，Ｒ２よりも小さいことは言うまでもない。【００３２】
なお、サイド域Ｓ１，Ｓ２は何れか一方のサイド域に統一されていてもよいし、サイド域Ｓ２の外側に接続比が更に大きい他のサイド域を設けてもよい。
【図３】
0004683493.tif 000002
【図４】
0004683493.tif 000003
【図５】
0004683493.tif 000004
【図１】
0004683493.tif 000005
【図２】
0004683493.tif 000006